(57)【特許請求の範囲】
【請求項１】
フラッシュパネル用の両面窓部材であって、
フラッシュパネルの窓の形状と大きさに対応した空洞を有する枠材と、
前記枠材を挟んで前記空洞の全体を覆うように前記枠材に取り付けられた２枚の窓板とを具え、
前記両面窓部材がフラッシュパネルに取り付けられる前記窓板の周縁部の少なくとも一部には切り欠き凹部が設けられており、
２枚の前記窓板の外縁は、前記枠材の外縁と同じ位置まで、または前記枠材の外縁よりも外側まで延びていることを特徴とするフラッシュパネル用の両面窓部材。
【請求項２】
内装建具および家具用のフラッシュパネルにおいて、
フラッシュパネルのフレームとなる芯材と、
窓用の開口部を有する表面板であって、前記芯材の両側に取り付けられる２枚の表面板と、
前記開口部に取り付けられた両面窓部材であって、前記開口部の形状と大きさに対応する空洞を有するように形成された枠材と、前記枠材を挟んで前記空洞の全体を覆うように前記枠材に取り付けられた２枚の窓板とを有する両面窓部材と、を具え、
２枚の前記窓板において前記表面板と接合する周縁部の少なくとも一部には切り欠き凹部が設けられており、
２枚の前記窓板の外縁は、前記枠材の外縁と同じ位置まで、または前記枠材の外縁よりも外側まで延びており、
２枚の前記表面板が前記両面窓部材を挟んで保持するように前記芯材に取り付けられ、前記表面板が前記窓板の切り欠き凹部と係合して、前記表面板の外側表面と前記両面窓部材の外側表面が両面において同一面上に延在することを特徴とするフラッシュパネル。
【請求項３】
請求項２に記載のフラッシュパネルにおいて、前記表面板の開口部が、前記切り欠き凹部を除いた前記窓板の部分よりも僅かに大きく形成されているとともに、前記表面板と前記窓板の切り欠き凹部とは互いに固着されておらず、２枚の前記表面板と前記両面窓部材とは互いに固着されていないことを特徴とするフラッシュパネル。
【請求項４】
請求項２または３に記載のフラッシュパネルにおいて、２枚の表面板の間で前記両面窓部材の周囲に前記芯材が配置されており、当該両面窓部材の周囲の芯材と前記両面窓部材の枠材との間に間隙を有することを特徴とするフラッシュパネル。
【請求項５】
請求項４に記載のフラッシュパネルにおいて、前記両面窓部材の周囲全体に前記間隙を有することを特徴とするフラッシュパネル。
【請求項６】
請求項２乃至５のいずれか１項に記載のフラッシュパネルにおいて、２枚の表面板の間において、前記切り欠き凹部が設けられた領域の前記両面窓部材の厚みと、前記芯材の厚みとが等しいことを特徴とするフラッシュパネル。
【請求項７】
両面窓付きフラッシュパネルを製造する方法において、
開口部を有する２枚の表面板を芯材の両側に取り付けるステップであって、２枚の表面板が前記開口部の周囲において両面窓部材を挟んで保持するように取り付けるステップを含み、
前記両面窓部材が、前記開口部の形状と大きさに対応する空洞を有するように形成された枠材と、前記枠材を挟んで前記空洞の全体を覆うように前記枠材に取り付けられた２枚の窓板とを有し、
２枚の前記窓板において前記表面板と接合する周縁部の少なくとも一部には切り欠き凹部が設けられており、
２枚の前記窓板の外縁は、前記枠材の外縁と同じ位置まで、または前記枠材の外縁よりも外側まで延びており、
前記２枚の表面板を前記芯材に取り付けるステップにおいて、前記表面板を前記窓板の切り欠き凹部と係合させて、前記表面板の外側表面と前記両面窓部材の外側表面とを両面において同一面上に配置することを特徴とする方法。
【請求項８】
請求項７に記載の方法において、前記表面板の開口部を、前記切り欠き凹部を除いた前記窓板の部分よりも僅かに大きく形成するとともに、前記表面板と前記窓板の切り欠き凹部とを互いに固着させず、２枚の前記表面板と前記両面窓部材とを互いに固着させないことを特徴とする方法。
【発明の詳細な説明】
【技術分野】
【０００１】
本発明は、ドア、引き戸、観音扉、クローゼット用扉などの内装用建具や家具を形成するフラッシュパネルに関する。
【背景技術】
【０００２】
従来から、内装用建具や家具において、フレームコアとなる芯材の両面に表面化粧板を貼ったフラッシュパネルが幅広く使用されてきた。
【０００３】
また、隣の部屋や扉の奥を見えるように窓を設けたドアや引き戸、家具扉などの建具や家具も従来から広く使用されてきた。フラッシュパネルにこのような窓を設ける場合は、フラッシュパネルに開口部を設けて、飾り縁や額縁となるモール材を使用してこの開口部にアクリル板やガラスを固定する方法が一般的であった。
【０００４】
しかしながら、飾り縁となるモール材を使用した場合、飾り縁がフラッシュパネルの表面板から突出するため、必然的に表面板と飾り縁に段差ができることになる。このような、フラッシュパネルの表面板と飾り縁との段差や、飾り縁と窓部材との段差は、意図せずに引っかけて引き戸やドアなどの建具が開閉してしまう原因となりうる。特に透明な窓は、隣の部屋がどうなっているのか覗き込む機会が多いため、ユーザが窓の部分に手を掛けることが多く、窓部分の段差に手を掛けたときに、意図せずにドアや引き戸が開閉して転倒する危険がある。また、段差に手を掛けて引き戸をスライドしようとする際に、モール材との段差と隣接する引き戸や収納部との間に指を挟んでしまう危険性がある。
【０００５】
このような危険性を回避するために、近年、モール材を使用せずに、窓の表面と表面板との間に段差ができないようにするフラッシュパネルが製造されている。すなわち、フラッシュパネルの表面板と窓の表面とを同一平面上にして、段差を設けないフラッシュパネルが望ましいものとして製造されている。
【先行技術文献】
【特許文献】
【０００６】
【特許文献１】特開２０１９−７３９１５号公報
【特許文献２】実用新案登録第３２１３８３３号公報
【発明の概要】
【発明が解決しようとする課題】
【０００７】
特開２０１９−７３９１５号においては、窓部を着脱可能にユニット化して、ドア本体に対して窓部を同一平面上に設けた窓付きのドアが開示されている（図１参照）。ここでは、着脱可能な窓部の厚みをドア本体の厚みと同じにすることにより、窓部とドア本体との間の段差をなくして、ドアと窓の表面を同一平面上に配置している。
【０００８】
しかしながら、特開２０１９−７３９１５号のように、着脱可能な窓ユニットを設ける場合、ドア本体と窓ユニットとの連結部分の加工に時間と労力がかかることになる。すなわち、ドア本体には、通常のフラッシュパネルの製造工程の他に、窓ユニットを取り付ける部分の加工の作業が必要となる。さらに窓ユニットにおいても、本体部分と着脱する部分の加工の作業が必要となる。したがって、従来のフラッシュパネルの製造工程の他に、窓ユニット取り付けのための多くの作業が必要となり、従来に比べて多くの作業時間とコストがかかるものである。
【０００９】
本出願人による実用新案登録第３２１３８３３号においては、窓部材と表面板に切り欠き凹部を設けて、表面板と芯材で窓部材を挟むことにより、窓と表面板の外側表面を同一平面上に配置する技術を開示している（図２参照）。
【００１０】
実用新案登録第３２１３８３３号の技術を用いて両面に窓を設ける場合、表面板を芯材に取り付ける工程において、同時に窓部材を取り付けることが可能となる。しかしながら、一方の面で窓部材を取り付ける作業と、他方の面で窓部材を取り付ける作業は別々の工程であるため、表面と裏面とで窓部材の位置を合わせることが困難である。フラッシュパネルの表面と裏面とで窓の位置がわずかでもずれていた場合、このずれを修正することは困難であり、一方の表面板と窓部材を最初から製作することが必要となる。
【００１１】
また、窓部材を取り付けるために、特許文献１においては取付用の固定器具を必要とし、特許文献２においては接着剤を必要とする。アクリル板である窓板と周りの木材を完全に固定して温度や湿度の変化があった場合、アクリル板や木材は熱や湿気により同じようには膨張・収縮しないため、接合部に不具合が生じるおそれがある。
【００１２】
そこで本発明の目的は、従来のフラッシュパネルの製造工程を大幅に変更することなく、迅速かつ容易に段差のない両面窓付きのフラッシュパネルを製造することである。すなわち、本発明は、従来のフラッシュパネルの製造工程の他に必要な窓部材の取り付け工程をさほど必要としない両面窓付きのフラッシュパネルを提供する。
【００１３】
さらに、本発明によって、接着剤や固定用の器具を用いずに窓部材をフラッシュパネルに取りつけて、窓部材を完全に固定しないことにより、湿気や温度の変化による窓板と表面板のサイズの変化に対応可能なフラッシュパネルを提供する。
【課題を解決するための手段】
【００１４】
本発明においては、上記の課題を独立した両面窓部材を採用することによって解決する。
【００１５】
本発明のフラッシュパネルは、フラッシュパネルのフレームとなる芯材と、窓用の開口部を有する表面板であって、芯材の両側に取り付けられる２枚の表面板と、開口部に取り付けられた両面窓部材であって、開口部の形状と大きさに対応する空洞を有するように形成された枠材と、枠材を挟んで空洞の全体を覆うように枠材に取り付けられた２枚の窓板とを有する両面窓部材と、を具え、２枚の窓板において表面板と接合する周縁部の少なくとも一部には切り欠き凹部が設けられており、２枚の表面板が両面窓部材を挟んで保持するように芯材に取り付けられ、表面板が窓板の切り欠き凹部と係合して、表面板の外側表面と両面窓部材の外側表面が両面において同一面上に延在することを特徴とする。
【００１６】
本発明のフラッシュパネルは、表面板の開口部が、切り欠き凹部を除いた窓板の部分よりも僅かに大きく形成されているとともに、表面板と窓板の切り欠き凹部とは互いに固着されないように構成することができる。
【００１７】
本発明のフラッシュパネルは、２枚の表面板の間で両面窓部材の周囲に芯材が配置されており、当該両面窓部材の周囲の芯材と両面窓部材の枠材との間に間隙を有するように構成することができる。この場合、両面窓部材と芯材が接触せずに、両面窓部材の周囲全体に間隙を有するように構成することが好ましい。
【００１８】
本発明のフラッシュパネルは、２枚の表面板の間において、切り欠き凹部が設けられた領域の前記両面窓部材の厚みと、芯材の厚みとが等しいように構成することができる。
【００１９】
本発明は、両面窓付きフラッシュパネルを製造する方法において、開口部を有する２枚の表面板を芯材の両側に取り付けるステップであって、２枚の表面板が開口部の周囲において両面窓部材を挟んで保持するように取り付けるステップを含み、両面窓部材が、開口部の形状と大きさに対応する空洞を有するように形成された枠材と、枠材を挟んで空洞の全体を覆うように枠材に取り付けられた２枚の窓板とを有し、２枚の窓板において表面板と接合する周縁部の少なくとも一部には切り欠き凹部が設けられており、２枚の表面板を芯材に取り付けるステップにおいて、表面板を窓板の切り欠き凹部と係合させて、表面板の外側表面と両面窓部材の外側表面とを両面において同一面上に配置することを特徴とする方法を提供する。
【００２０】
本発明の両面窓付きフラッシュパネルを製造する方法では、表面板の開口部を、切り欠き凹部を除いた窓板の部分よりも僅かに大きく形成するとともに、表面板と窓板の切り欠き凹部とを互いに固着しないようにすることが可能である。
【００２１】
本発明は、また、フラッシュパネル用の両面窓部材であって、フラッシュパネルの窓の形状と大きさに対応した空洞を有する枠材と、枠材を挟んで空洞の全体を覆うように枠材に取り付けられた２枚の窓板とを具え、両面窓部材がフラッシュパネルに取り付けられる窓板の周縁部の少なくとも一部には切り欠き凹部が設けられていることを特徴とするフラッシュパネル用の両面窓部材を提供する。
【発明の効果】
【００２２】
本発明のフラッシュパネルは、上記両面窓部材の構成を採用することにより、２枚の表面板を芯材に取り付ける工程において、同時に両面窓部材を表面板に取り付けることが可能となる。これにより、芯材の両側に表面板を取り付ける従来のフラッシュパネルの工程を大幅に変更することなく、かつ窓部材の取り付け工程に多大な時間を要することなく、段差のない両面窓つきのフラッシュパネルを容易に製造することが可能となる。さらに、両面窓部材を採用することによって、表面と裏面の窓の位置を合わせる作業が必要なくなり、容易に両面窓つきのフラッシュパネルを製作することが可能となる。
【００２３】
また、２枚の表面板が両面窓部材の窓板の周囲に延在する切り欠き凹部を挟んで保持することにより、接着剤や固定用の器具を必要とせずに、両面窓部材をフラッシュパネルに取り付けることができる。特に、表面板の開口部を、切り欠き凹部を除いた窓板の部分よりも僅かに大きく形成するとともに、表面板と窓板の切り欠き凹部とを互いに固着しないことにより、湿気や熱の変化によるアクリル板と表面板との膨張や収縮に対応することが可能となる。
【図面の簡単な説明】
【００２４】
【図１】図１は、従来技術における着脱可能な窓ユニットを用いたフラッシュパネルである。
【図２】図２は、窓部材を表面板と芯材で挟む従来技術のフラッシュパネルである。
【図３ａ】図３ａは、一実施例における本発明のフラッシュパネルの斜視図である。
【図３ｂ】図３ｂは、一実施例における本発明のフラッシュパネルの分解斜視図である。
【図４】図４は、一実施例における本発明のフラッシュパネルの断面図である。
【図５】図５は、本発明のフラッシュパネルにおける両面窓部材の断面図である。
【図６】図６は、一実施例における両面窓部材と表面板との連結部分の断面図である。
【図７】図７は、本発明の両面窓付きフラッシュパネルの変形例を示す。
【図８】図８は、一実施例における本発明の両面窓部材の枠材の斜視図である。
【図９】図９は、一実施例における本発明の両面窓部材の斜視図である。
【発明を実施するための形態】
【００２５】
本発明の両面窓付きフラッシュパネルを、図面を参照して以下に詳細に説明する。図３ａは、本発明におけるフラッシュパネル１の斜視図であり、図３ｂは、フラッシュパネル１の分解斜視図である。フラッシュパネル１は、芯材１０と、芯材１０の両面に貼られた表面板２０とを具える。両面の表面板２０には開口部２５が設けられており、この開口部２５に両面窓部材３０が取り付けられる。
【００２６】
芯材１０は、木材や金属等の角材から形成することができる。フラッシュパネルを建具や家具の扉として使用する場合は、芯材１０はフレーム部分にだけ存在すればよく、図３ｂに示すように、芯材と芯材との間は空洞となる。フラッシュパネルをカウンターやテーブルとして使用する場合は、強度の観点から、芯材１０は両面窓部材３０以外の場所をすべて埋めるように構成されることが望ましい。また、建具や扉として使用する場合においても、両面窓部材３０以外の場所をすべて埋めるように芯材１０を構成することも可能である。
【００２７】
表面板２０は、合板に木目などが印刷されたシートを貼った化粧合板や、突き板、板材、ボード等、建具や家具の表面材として使用される材料を用いることができる。表面板２０を芯材１０の両側に接着剤、釘、ねじ等により固定して、フラッシュパネルの表面が形成される。２枚の表面板２０には開口部２５が設けられており、ここに両面窓部材３０が取り付けられることになる。
【００２８】
次いで本発明のフラッシュパネルに用いる両面窓部材３０について説明する。図４は、図３の線Ａ−Ａ’に沿ったフラッシュパネル１の窓部分の断面図であり、図５は線Ａ−Ａ’に沿った両面窓部材の断面図である。両面窓部材３０は、２枚の表面板２０の開口部２５に取り付けられる。両面窓部材３０は、両面窓部材３０の両側の面をなす２枚の窓板３２と、これらの窓板３２の間に挟まれる枠材３１とから構成されている。枠材３１は、表面板の開口部２５の形状に沿って、開口部２５の周りに延在している。枠材３１は、両側の窓板３２、３２の間に空洞３３を有することになる。フラッシュパネル１を正面から見た場合に、図３ａに示すように、この空洞３３は表面板２０の開口部２５の大きさと形状に対応しており、開口部２５と大きさが等しいか、または開口部２５よりも大きく構成されている。この構成により、組立後のフラッシュパネル１を正面から見たときに、開口部２５内に枠材３１が見えることがなく、表面板２０の開口部２５と両面窓部材３０が、建具や家具の窓として機能することができる。
【００２９】
枠材３１は、ボール紙、段ボール、発泡スチロール、発泡ウレタン、木材、その他アルミニウムのような金属などの材料から製作することができる。
【００３０】
枠材３１の両側に取り付けられる窓板３２は、アクリル樹脂板やガラスから形成することができ、透明窓として機能を果たすことになる。例えば、枠材３１が段ボールの材料であり、窓板３２がアクリル樹脂である場合、枠材３１と窓板３２とをホットメルト・ホットグルー−ウレタン樹脂系接着剤で固定させることが可能である。
【００３１】
両面窓部材３０の窓板３２は、図４および５に示されているように、表面板２０との接合部分において、切り欠き凹部３４が設けられている。この窓板３２の切り欠き凹部３４は、表面板２０の開口部２５の形状に沿って、開口部２５の周り全体に設けられる。組み立て時に、両側の表面板２０が、この切り欠き凹部３４において両面窓部材３０を挟んで位置決めするように構成されている。図４の例においては、切り欠き凹部３４の高さ（切り欠きの深さ）が、表面板３０の厚みと等しいか１〜２ｍｍほど大きく構成されており、これによって、表面板２０の外側表面と両面窓部材３０の窓板３２の外側表面がフラッシュパネルの両面において同一面上に位置することが可能になる。なお、切り欠き凹部３４は必ずしも窓板３２の前周に設けられなくともよい。例えば、開口部２５が正方形である場合は、開口部の上辺と下辺の位置のみ、または左辺と右辺の位置のみに切り欠き凹部を設けることも可能である。これらの場合は、枠材３１は、開口部の全周に設けてもよいし、切り欠き凹部の裏面の部分のみに設けてもよい。
【００３２】
２枚の表面板２０が、開口部２５の周囲全体で、窓板３２の切り欠き凹部３４を挟んで両面窓部材３０を保持することによって、接着剤を使用せずに窓板３２の切り欠き凹部３４と表面板３４を連結させることが可能となる。すなわち、本発明においては、接着剤や固定用の器具を使用せずに両面窓部材３０をフラッシュパネルに取り付けることができる。
【００３３】
図４示す実施例において、窓板３２の切り欠き凹部３４と表面板２０とを接着剤等を用いて連結することも可能である。窓板３２がアクリル板で、表面板２０が化粧合板である場合には、例えばシリル化ウレタン樹脂系接着剤を使用することができる。しかしながら、アクリル板は熱や湿気によって膨張し、表面板も湿気により膨張・収縮するため、窓板３２と表面板２０とを完全に固定すると、窓板と表面板のサイズが変化することで、接合部が剥離したり、窓板や表面板にクラックが生じるなどの不具合が生じるおそれがある。したがって、温度や湿度の変化によるアクリル板と表面板の膨張や収縮を考慮すると、接着剤や固定用の器具を使用せずに、両面窓部材を完全に固定せずにフラッシュパネルに取り付けることが好ましい。図４の例において、開口部２５は、切り欠き凹部以外の窓板３２の面積よりもわずかに大きいことにより、開口部２５と窓板３２は外側表面上でクリアランスを有するように構成されている。両面窓部材３０を窓板３２に完全に固着させずに、このクリアランスを設けることによって、湿気等による窓板３０と表面板３２のサイズの変更に対応して、接合部の剥離やクラック等の問題を回避することが可能となる。
【００３４】
また、図６の実施形態に示すように、窓板３２と連結する表面板２０の内側にも切り欠き凹部２１を設けて、窓板３２の切り欠き凹部３４と表面板２０の切り欠き凹部２１とを重ねて、両面窓部材３０と表面板２０とを係合させることができる。この場合、表面板の切り欠き凹部２１の高さ（切り欠き凹部２１の深さ）が、切り欠き凹部３４が設けられた部分の窓板３２の厚み（切り欠き凹部３４以外の窓板３２の厚み）とほぼ等しくすることによって、表面板２０と窓板３２の外側表面を同一平面上に配置することができる。
【００３５】
図６の例においても、窓板３２の切り欠き凹部３４と、表面板２０の切り欠き凹部２１とを接着剤を使用して接合してもよいが、上述のように、アクリル板と表面板の膨張と収縮の観点から、接着剤や固定用の器具を使用せずに切り欠き凹部３４と切り欠き凹部２１とを接合させることが望ましい。
【００３６】
図３ｂに示すように、両面窓部材３０の周囲を芯材１０が取り囲むように配置されている。両面窓部材３０と、その周囲の芯材１０は離して配置されており、図４に示す両面窓部材３０の枠材３１と芯材１０との間には、１０〜５０ｍｍ程度の間隙３３が存在する。ここで、図４に示すように、２枚の表面板２０の間において、切り欠き凹部３４が設けられた領域の両面窓部材３０の厚みと、周囲の芯材１０との厚みは等しくなるように構成されている。枠材３１と芯材１０との間の間隙を５０ｍｍ以内とし、かつ切り欠き凹部３４が設けられた領域の両面窓部材３０の厚みと、周囲の芯材１０との厚みとを等しくすることにより、固定用の器具や接着剤等を使用しなくとも、両面窓部材３０を、その周囲の芯材１０と両面の表面板２０によって両面窓部材３０を動かないように安定して保持することが可能となる。
【００３７】
両面窓部材３０を安定して固定するために、両面窓部材３０の枠材３１の一部分を、特にその下に延在する芯材１０に接着剤等で固定してもよい。しかしながら、上述のようにアクリル板や芯材や表面板は、温度や湿気の影響により膨張・収縮することになる。このような温度や湿度による膨張と収縮に対応するために、両面窓部材３０の枠材３１を、芯材１０とはまったく接触させずに、両面窓部材３０の枠材３１の周囲全体に芯材１０との間の間隙３３が存在するように構成することが好ましい。
【００３８】
これらの構成によって、両面窓部材３０は、接着剤や固定用の器具を使用しなくとも、両側の表面板２０によって挟まれて保持され、２枚の表面板２０の間で安定して保持されることになる。
【００３９】
フラッシュパネル１の窓を正面から見た場合に枠材３１が見えないように、枠材３１は表面板２０の開口部２５の外側に隠れるように取り付けられる。また、フラッシュパネル１の外側から見ることができる両面窓部材３０の枠材３１の内側の木口には、表面板２０のデザインと同様の化粧テープ３５を貼ることが好ましい。
【００４０】
また、枠材３１は、表面板３２の切り欠き凹部３４がある領域に延在するように構成されている。ドアや引き戸は、何度も開け閉めして衝撃が加わるため、窓板３２の厚みが薄い部分（切り欠き凹部３４がある部分）は、全体が枠材３１によって補強されることが好ましい。
【００４１】
両面窓部材３０の空洞３３は、両面の窓板３２と枠材３１によって密封される。両面窓の内側が湿気により曇ることを防止するために、さらに湿気によりアクリル板や木材の膨張を防ぐために、枠材３１に通気口を設けたり、枠材３１の内側や、芯材１０と枠材３１との間の間隙４０に乾燥材を配置するように構成することもできる。
【００４２】
本発明の窓は、図７に示すように様々な形状やサイズとすることができる。図７ａでは、正方形の両面窓部材を使用して、正方形の両面窓を実現している。図７では三角形の両面窓部材を使用して、三角形の両面窓を実現している。正方形の両面窓部材の場合、一辺を１００〜５００ｍｍ程度に設計することができる。
【００４３】
本発明の両面窓部材３０について、さらに詳細に説明する。図８は両面窓部材３０の枠材３１である。ここでは、図７ａに示すような正方形の両面窓部材の枠材３１が示されている。枠材３１は、表面板２０の開口部２５の大きさと形状にほぼ等しいか、開口部２５よりもわずかに大きい。言い換えると、枠材３１は、２枚の表面板の間で、表面板２０の開口部２５の周囲に延在するように配置される。
【００４４】
図９は、枠材３１の両側に窓板３２を取り付けた両面窓部材３０を示している。窓板３２は少なくとも枠材３１の空洞３３を覆うように取り付けられている。窓板３２は、枠材３１の外側の大きさと形状にほぼ等しく構成してもよいし、図１１に示すように枠材３１よりも大きく構成してもよい。さらに、枠材３１を芯材１０に取り付けて固定する場合には、窓板３２を枠材３１の外形よりもわずかに小さく構成してもよい。また、上述したように、窓板３２が表面板２０と接合する表面板３２の周縁部には切り欠き凹部３４が設けられている。この両面窓部材３０がフラッシュパネルに取り付けられた際に、切り欠き凹部３４が設けられた部分は、表面板２０により覆われ、窓板３２における切り欠き凹部３４以外の内側部分がフラッシュパネル１の窓の領域となる。
【００４５】
図３ｂを参照して、本発明の両面窓部材を有するフラッシュパネルの製造方法について説明する。図３ｂに示すように、表面板２０を芯材１０に取り付ける前に、２枚の表面板２０に開口部２５を設ける。開口部２５を有する２枚の表面板を、フラッシュパネルの骨組みである芯材１０の両側に取り付ける工程において、２枚の表面板２０の間に両面窓部材３０を挟み込む。すなわち、２枚の表面板２０を芯材１０に取り付ける工程と、開口部２５に両面窓部材３０を取り付ける工程が同時に行われることになる。ここで表面板２０が両面窓部材の窓板３２の切り欠き凹部と３４接するようにして、両面窓部材３０の窓板３２の外側表面が、表面板２０の外側表面と同一平面上になるように配置する。表面板２０は、接着剤、くぎ、ねじ、ビス等によって、芯材１０に取り付けて固定することができる。
【００４６】
２枚の表面板２０が両面窓部材３０の切り欠き凹部３４を挟んで保持することにより、接着剤を使用しなくとも、両面窓部材３０を安定して保持することが可能となる。ここで、開口部２５を、切り欠き凹部３４を除いた窓板３２の部分よりも僅かに大きく形成することにより、表面板２０と切り欠き凹部３４を除いた窓板３２の部分との間にクリアランスを設けることができる。このクリアランスを設けるとともに、表面板３２と切り欠き凹部３４とを固定しないことにより、上述のように湿気等による窓板３２と表面板２０のサイズの変更に対応することができる。
【００４７】
当然のことながら、本発明の方法において、両面窓部材３０の窓板３２と表面板２０の間に接着剤を使用したり、両面窓部材３０の枠材３１の一部分をその周囲の芯材に接着剤等で固定することも可能である。
【００４８】
このように、本発明の製造方法は、表面板２０を芯材１０に取り付ける工程において同時に両面窓部材３０も取り付けることができる。したがって、従来のフラッシュパネルの製造工程を大幅に変更したり、窓を取り付けるための多くの工程を追加する必要なしに、両面窓つきのフラッシュパネルを製造することが可能となる。さらに、独立した両面窓部材３０を使用するため、表面と裏面において窓の位置を調整する工程も必要ない。
【００４９】
さらに、両面窓部材３０を接着剤や固定用の器具を使用せずに取り付けることができるため、接着剤の乾燥のための時間や、固定器具を取り付けるための工程も必要ない。
【００５０】
本発明により、モール材等を必要とせずに、窓部材をフラッシュパネルに固定することができ、窓部材の外側表面と表面板の外側表面とを、両面において段差なく同一面上に構成することが可能となる。
【００５１】
さらに、本発明の両面窓付きフラッシュパネルは、従来のフラッシュパネルの製造工程を大幅に変更することなく、従来のフラッシュパネルの製造工程の中において両面窓部材を取り付けて構成することができる。したがって、従来のフラッシュパネルの製造工程に追加して窓部材を取り付けるための数多くの工程を必要としない。
【００５２】
また、本発明は、両面窓部材を使用することによって、片面ずつ窓を取り付ける場合の工程に比べて、表面と裏面で窓の位置を正確に合わせるという工程が必要なくなる。
【００５３】
さらに、本発明の両面窓部材は、表面板の開口部との間にクリアランスを設けるとともに、接着剤等で完全に固定せずに２枚の表面板によって挟まれて保持されるため、湿気や温度の変化に伴うアクリル板や木材の膨張・収縮に対応して、接合部の剥離やクラックが生じることを回避することができる。
【００５４】
したがって、本発明は、従来のフラッシュパネルの製造工程を大幅に変更することなく、迅速にコスト効率良く両面窓付きのフラッシュパネルを製造することが可能となり、作業効率が大幅に改善することになる。さらに、アクリル板が表面板に完全に固定された場合に生じうる熱や湿気による膨張・収縮の問題を回避することができる。
【００５５】
以上、図面を参照して本発明のフラッシュパネルを詳細に説明したが、本発明に係る両面窓部材を有するフラッシュパネルは図示した実施例のみに限定されない。当業者は、特許請求の範囲に示した本発明の範囲を逸脱せずに、本発明の両面窓部材に変形を加えることができると理解すべきである。
【符号の説明】
【００５６】
１    フラッシュパネル
１０  芯材
２０  表面板
２１  表面板の切り欠き凹部
２５  開口部
３０  両面窓部材
３１  枠材
３２  窓板
３３  空洞
３４  窓板の切り欠き凹部
３５  化粧テープ
４０  間隙
【図１】
0006875752.tif 000002
【図２】
0006875752.tif 000003
【図３ａ】
0006875752.tif 000004
【図３ｂ】
0006875752.tif 000005
【図４】
0006875752.tif 000006
【図５】
0006875752.tif 000007
【図６】
0006875752.tif 000008
【図７】
0006875752.tif 000009
【図８】
0006875752.tif 000010
【図９】
0006875752.tif 000011